(57)【要約】  本発明は、電極タブが突出した構造の複数の電極が積層されている電極組立体であって、前記複数の電極は電極タブが互いに溶接で結合され、前記電極タブは前記電極タブを取り囲む構造を有する一つの電極リードと結合し、前記電極リードは、前記電極タブの上面と結合する第１面、前記第１面と連結された状態で第１折曲部から折り曲げられて前記電極タブの下面と結合する第２面、及び前記第２面と連結された状態で第２折曲部から折り曲げられて電池ケースの外側に引き出される第３面からなる電極リード本体を含み、前記電極タブと前記電極リードはクリンチング（ｃｌｉｎｃｈｉｎｇ）によって結合される電極組立体に関するものである。
2020518963.tif 000002
【特許請求の範囲】
【請求項１】
電極タブが突出した構造の複数の電極が積層されている電極組立体であって、
前記複数の電極は電極タブが互いに溶接で結合され、
前記複数の電極タブは前記電極タブを取り囲む構造を有する一つの電極リードと結合し、
前記電極リードは、
前記複数の電極タブの上面と結合する第１面、前記第１面と連結された状態で第１折曲部から折り曲げられて前記複数の電極タブの下面と結合する第２面、及び前記第２面と連結された状態で第２折曲部から折り曲げられて電池ケースの外側に引き出される第３面からなる電極リード本体を含み、
前記複数の電極タブと前記電極リードはクリンチング（ｃｌｉｎｃｈｉｎｇ）によって結合される、電極組立体。
【請求項２】
前記電極は陽極及び／又は陰極である、請求項１に記載の電極組立体。
【請求項３】
前記電池ケースはパウチ型電池ケースであり、上部ケース及び下部ケースの少なくとも一方に電極組立体収納用凹部が形成されている、請求項１または２に記載の電極組立体。
【請求項４】
前記複数の電極タブの結合部は前記電極組立体の積層方向を基準に前記電極組立体の中心部に形成されるか、又は前記電極組立体のいずれか一側に形成されている、請求項１〜３の何れか一項に記載の電極組立体。
【請求項５】
前記電極リード本体の第２面及び第３面の外周を取り囲むようにプラスチック部材が付加されている、請求項１〜４の何れか一項に記載の電極組立体。
【請求項６】
前記プラスチック部材の厚さは前記電極リード本体の厚さと同一である、請求項５に記載の電極組立体。
【請求項７】
前記第１折曲部にはノッチが形成されている、請求項１〜６の何れか一項に記載の電極組立体。
【請求項８】
前記第２折曲部は、前記第２面と第３面が直角に連結されるように折り曲げられている、請求項１〜７の何れか一項に記載の電極組立体。
【請求項９】
前記第３面には絶縁フィルムがさらに付加されている、請求項１〜８の何れか一項に記載の電極組立体。
【請求項１０】
前記電極リードと結合された前記複数の電極タブが前記電極組立体の積層方向に平行となるように折り曲げられている、請求項１〜９の何れか一項に記載の電極組立体。
【請求項１１】
請求項１〜１０のいずれか一項に記載の電極組立体がパウチ型電池ケースに収納され、前記電極リード本体の第３面は前記電池ケースのシーリング部を貫通して電池ケースの外側に引き出されている、二次電池。
【請求項１２】
請求項１〜１０のいずれか一項に記載の電極組立体の製造方法であって、
（ａ）陽極及び陰極の間に分離膜を介在した状態で積層された電極組立体を準備する段階と、
（ｂ）前記電極組立体の複数の電極タブを予備結合させる段階と、
（ｃ）前記複数の電極タブを取り囲むように電極リードを位置させる段階と、
（ｄ）前記複数の電極タブと電極リードを結合するためにクリンチングする段階と、を含む、電極組立体製造方法。
【請求項１３】
前記段階（ｂ）で、前記複数の電極タブは超音波溶接で結合する、請求項１２に記載の電極組立体製造方法。
【請求項１４】
前記段階（ｄ）の後、前記複数の電極タブを電極組立体の積層方向に平行となるように折り曲げる過程をさらに含む、請求項１２又は１３に記載の電極組立体製造方法。
【発明の詳細な説明】
【技術分野】
【０００１】
本出願は２０１８年１月９日付の韓国特許出願第２０１８−０００２８８７号に基づく優先権の利益を主張し、当該韓国特許出願の文献に開示された全ての内容はこの明細書の一部として含まれる。
【０００２】
本発明は電極タブリード結合部に適用されるプラスチック部材を含む電極組立体に関するものであり、具体的に、複数の電極タブが互いに溶接で結合され、一つの電極リードは前記複数の電極タブを取り囲むとともに電極タブと結合し、前記電極リードは、前記複数の電極タブの上面と結合する第１面、前記第１面と連結された状態で第１折曲部から折り曲げられて前記複数の電極タブの下面と結合する第２面、及び前記第２面と連結された状態で第２折曲部から折り曲げられて電池ケースの外側に引き出される第３面からなる電極リード本体を含み、前記複数の電極タブと前記電極リードはクリンチング（ｃｌｉｎｃｈｉｎｇ）によって結合される電極組立体に関するものである。
【背景技術】
【０００３】
充放電の可能な二次電池は、化石燃料を使う既存のガソリン車両、ディーゼル車両などによる大気汚染などを解決するための方案として提示されている電気自動車（ＥＶ）、ハイブリッド電気自動車（ＨＥＶ）、プラグインハイブリッド電気自動車（Ｐｌｕｇ−Ｉｎ  ＨＥＶ）などを含めて高出力及び大容量が要求されるデバイスの動力源として注目されている。
【０００４】
このような二次電池は、陽極、陰極、及び前記陽極と陰極との間に介在された分離膜の構造の電極組立体がどの構造を持っているかによって分類されることもある。代表的には、長いシート状の陽極と陰極を分離膜が介在された状態で巻き付けた構造のゼリーロール（巻付型）電極組立体、所定の大きさの単位で切り取った多数の陽極と陰極を分離膜を介在した状態で順次積層したスタック型（積層型）電極組立体、所定の単位の陽極と陰極を分離膜を介在した状態で積層したバイセル（Ｂｉ−ｃｅｌｌ）又はフルセル（Ｆｕｌｌ  ｃｅｌｌ）などの単位セルを巻き付けた構造のスタック／フォルディング型電極組立体などを挙げることができる。
【０００５】
図１には従来の代表的なパウチ型二次電池の一般的な構造が分解斜視図として模式的に示されている。
【０００６】
図１を参照すると、パウチ型二次電池１０は、電極組立体３０、電極組立体３０から延びている電極タブ４０、５０、電極タブ４０、５０に溶接されている電極リード６０、７０、及び電極組立体３０を収容する電池ケース２０を含むことによって構成される。
【０００７】
電極組立体３０は分離膜が介在された状態で陽極と陰極が順次積層されている発電素子であり、スタック型又はスタック／フォルディング型の構造を持っている。電極タブ４０、５０は電極組立体３０の各極板から延びており、電極リード６０、７０は各極板から延びた複数の電極タブ４０、５０に溶接でそれぞれ電気的に連結されている。また、電極リード６０、７０の上下面の一部には、電池ケース２０との密封性を高めるとともに電気的絶縁状態を確保するために絶縁フィルム８０が付着されている。
【０００８】
前記電極タブ４０、５０はアルミニウム、銅、アルミニウム合金などからなり、電極組立体３０の電極集電体から延びて突出している多数の電極タブ４０、５０は、例えば溶接によって一体に結合された溶着部の形態で電極リード６０、７０に連結される。
【０００９】
前記電極タブと電極リードが互いに異なる素材からなる場合、これらの結合のために超音波溶接を用いることができるが、超音波エネルギーが高い場合には、電極タブの一部が切れるなどの過溶接が問題となり、前記過溶接を防止するために低い超音波エネルギーを使う場合には、電極リードを加工するとき、溶接部が取れる現象が発生する弱溶接が問題となることができる。
【００１０】
また、超音波溶接された部分の表面が延びるか突出するバリ（Ｂｕｒｒ）が発生して電池ケースの内側面を損傷させることがあるから、これを防止するために、前記超音波溶接された部分の電池ケースの対向面にはテープなどを付着している。
【００１１】
これに関連して、特許文献１は、Ｓ字形折曲部が形成されたリード端子を陽極及び陰極のそれぞれの端子部の一側面と結合した構造の電池を開示しているが、前記リード端子は電極タブの一側面と溶接で結合されるため、前記のような問題点を解決することができない。
【００１２】
特許文献２及び特許文献３は、電極リードと電極タブの連結部に絶縁樹脂を塗布して前記連結部を取り囲む構造のパウチ型リチウム二次電池を開示しているが、前記電極タブと電極リードは前記電極タブ及び電極リードが対面する一面でのみ結合されるから、結合過程で相対的に厚さの薄い電極タブの一部が損傷されるか、相互間の結合力が弱くて分離されるおそれがある問題を持っている。
【００１３】
このように、電極タブと電極リードの結合を安定的に確保しつつ、電極タブ及び電極リード連結部の表面が荒くなることを防止して電池ケースが損傷されない構造を有する電極組立体に対する必要性が高い実情である。
【先行技術文献】
【特許文献】
【００１４】
【特許文献１】日本国特許公開第２０００−２１５８７７号公報
【特許文献２】韓国特許公開第２００８−００９０７５３号公報
【特許文献３】韓国特許公開第２０１６−０１１９５０９号公報
【発明の概要】
【発明が解決しようとする課題】
【００１５】
本発明は前記のような問題点を解決するためのもので、複数の電極タブ及び前記電極タブを取り囲む構造を有する電極リードがクリンチングによって結合されており、前記電極リードは前記電極タブの上面と結合する第１面、前記第１面と連結された状態で第１折曲部から折り曲げられて前記電極タブの下面と結合する第２面、及び前記第２面と連結された状態で第２折曲部から折り曲げられて電池ケースの外側に引き出される第３面からなる電極リード本体を含む構造の電極組立体を提供することを目的とする。
【課題を解決するための手段】
【００１６】
このような目的を達成するための本発明による電極組立体は、電極タブが突出した構造の複数の電極が積層されている電極組立体であって、前記複数の電極は電極タブが互いに溶接で結合され、前記複数の電極タブは前記電極タブを取り囲む構造を有する一つの電極リードと結合し、前記電極リードは、前記複数の電極タブの上面と結合する第１面、前記第１面と連結された状態で第１折曲部から折り曲げられて前記複数の電極タブの下面と結合する第２面、及び前記第２面と連結された状態で第２折曲部から折り曲げられて電池ケースの外側に引き出される第３面からなる電極リード本体を含み、前記複数の電極タブと前記電極リードはクリンチング（ｃｌｉｎｃｈｉｎｇ）によって結合される構造を有する。
【００１７】
一般に、板状の電極が積層された構造の電極組立体は片側に又は両側に突出した電極タブが形成され、前記複数の電極タブは同じ電極同士結合され、前記結合は超音波溶接のような溶接によってなされる。
【００１８】
このように、複数の電極タブ間の結合のために超音波溶接を実施する過程で電極タブの外面が延びるか突出するなど、バリ（Ｂｕｒｒ）が形成されることができ、このような電極タブ溶接部が電池ケースと接触して電池ケースが毀損されることがある。
【００１９】
したがって、本発明のように、電極リードが前記複数の電極タブを取り囲む構造を有し、前記電極リードは複数の電極タブの上面及び下面と結合するので、前記電極タブ溶接部の荒い表面と電池ケースが接触することを防止することができる。
【００２０】
また、従来の溶接による結合の際、相対的に薄い電極タブが破断される問題があったが、本発明は、複数の電極タブの両面を取り囲む構造の電極リードを含み、前記電極リードによって電極タブが保護されるので、電極タブが破断される問題を解決することができる。
【００２１】
また、前記複数の電極タブと電極リードはクリンチングによって結合されるから、溶接によって結合される場合と比較すると、溶接強度が向上し、過溶接によって電極タブが損傷されるか、弱溶接によって接着強度が低下する問題を防止することができるので、溶接に対する信頼性が向上する。
【００２２】
このように、複数の電極タブの上面及び下面を取り囲む構造の電極リードが結合される電極組立体において、前記電極は陽極又は陰極、又は陽極及び陰極であり得るが、電池の安全性を向上させるための目的を考慮すると、陽極及び陰極が共に前記のような構造を有することが好ましい。
【００２３】
前記電池ケースはパウチ型電池ケースであり、上部ケース及び下部ケースの少なくとも一方に電極組立体収納用凹部が形成されていることができる。
【００２４】
前記電池ケースは収納される電極組立体の大きさ及び厚さに対応する形状の電極組立体収納部を成形することによって製造されるので、高容量電池用電極組立体は厚さが厚くなることがある。よって、電池ケースに形成される収納部の深みも深くなる。しかし、電池ケース用ラミネートシートの耐久性及び成形性によって、収納部の深みを深く形成するのに限界がある。したがって、収納される電極組立体の容量又は厚さ及びラミネートシートの厚さなどを考慮して電池ケースを成形する。
【００２５】
本発明による電極組立体は、複数の電極タブが電極リードと結合し、電極リード本体の第３面は電池ケースのシーリング部を通過して電池ケースの外側に引き出されていることができるので、前記電極組立体収納用凹部の形成位置によって前記電極タブ結合部の位置が変わることができる。
【００２６】
すなわち、上部ケース又は下部ケースに電極組立体収納用凹部が形成されることができ、あるいは上部ケース及び下部ケースのそれぞれに電極組立体収納用凹部が形成されることができ、前記複数の電極タブの結合部は前記電極組立体の積層方向を基準に前記電極組立体の中心部に形成されるか、あるいは前記電極組立体のいずれか一側に形成されることができる。
【００２７】
例えば、上部ケースに凹部が形成される場合には、電極組立体の下側に複数の電極タブが結合し、前記複数の電極タブが電極リードと結合し、下部ケースに凹部が形成される場合には、電極組立体の上側に複数の電極タブが結合し、前記複数の電極タブが電極リードと結合する。
【００２８】
また、上部ケース及び下部ケースのそれぞれに凹部が形成される場合には、前記複数の電極タブの結合部は前記電極組立体の積層方向を基準に前記電極組立体の中心部に形成されている。
【００２９】
一具体例で、前記電極リード本体の第２面及び第３面の外周を取り囲むようにプラスチック部材が付加されるから、複数の電極タブ間の結合のための超音波溶接の際、電極タブの表面に形成されたバリ（Ｂｕｒｒ）又は電極リード本体の外周辺に形成されたバリ（Ｂｕｒｒ）を取り囲むことができるので、電池ケースが損傷されることを防止することができる。
【００３０】
前記プラスチック部材の厚さは前記電極リード本体の厚さと同一であるか、あるいは前記電極リード本体の厚さより薄いことができる。前記プラスチック部材が前記電極リード本体の厚さより厚い場合には、クリンチングによる電極タブ及び電極リードの結合に影響を与えることができるから好ましくない。
【００３１】
前記第１折曲部は前記電極リード本体の第１面と第２面との間に位置し、前記第１面及び第２面は複数の電極タブを介在した状態で互いに対面するように１８０度折り曲げられる。したがって、前記第１折曲部には、電極リードが容易に折り曲げられて複数の電極タブを取り囲むようにノッチが形成されることができる。具体的に、折曲方向の内側にノッチが形成される場合、折曲によって第１面と第２面が対面して第１折曲部の厚さが厚くなることを防止することができるので、容易な折曲の可能な効果がある。
【００３２】
前記第２折曲部は、前記第２面と第３面が直角に連結されるように、折り曲げられている。前記第２折曲部は、後述するように、電極タブが折り曲げられて電極リード本体の第３面が電池ケースの外側に引き出されるように変形されるときにも前記第２面と第３面が直角に位置するように折り曲げられた状態を維持する。
【００３３】
一具体例で、前記第３面には絶縁フィルムがさらに付加されることができ、前記絶縁フィルムは前記電極リードが前記電池ケースのシーリング部を通過する部分に付着されて、前記電池ケースの密封力が低下することを防止する。
【００３４】
一方、電極リードと結合された電極組立体の全体的な大きさを減らすことにより、電池ケースの内部に死空間（ｄｅａｄ  ｓｐａｃｅ）が発生することを最小化するために、前記電極組立体は電池ケースの電極組立体収納用凹部に収納された後、前記電極リードと結合された前記複数の電極タブが前記電極組立体の積層方向に平行となるように折り曲げられていることができる。
【００３５】
本発明は、前記電極組立体がパウチ型電池ケースに収納され、前記電極リードの第３面は前記電池ケースのシーリング部を貫通して電池ケースの外側に引き出されている二次電池を提供する。
【００３６】
また、本発明は、前記電極組立体の製造方法を提供する。この方法は、（ａ）陽極及び陰極の間に分離膜を介在した状態で積層された電極組立体を準備する段階と、（ｂ）前記電極組立体の前記複数の電極タブを予備結合させる段階と、（ｃ）前記複数の電極タブを取り囲むように電極リードを位置させる段階と、（ｄ）前記複数の電極タブと電極リードを結合するためにクリンチングする段階とを含むことができる。
【００３７】
すなわち、本発明による電極組立体製造方法は、まず同じ電極の複数の電極タブ同士予備結合され、前記結合された複数の電極タブの外面を取り囲む構造を有する電極リードが前記複数の電極タブとクリンチングによって結合されるので、電極タブ及び電極リード間の結合力を向上させるだけでなく、溶接法による結合の際、電極タブが損傷されるか、溶接面によって電池ケースが損傷されることを防止することができる。
【００３８】
前記段階（ｂ）で、前記複数の電極タブは溶接で結合され、具体的に、超音波溶接で結合されることができ、前記段階（ｄ）の後、前記複数の電極タブを電極組立体の積層方向に平行となるように折り曲げる過程をさらに含むことができる。
【００３９】
また、本発明は、前記電池セルを含む電池パック及び前記電池パックを含むデバイスを提供するが、前記のような電池パック及びデバイスは当該分野に公知となっているので、本明細書ではそれについての具体的な説明を省略する。
【００４０】
前記デバイスは、例えば、ノートブック型パソコン、ネットブック、タブレットＰＣ、携帯電話、ＭＰ３、ウェアラブル電子機器、動力工具（ｐｏｗｅｒ  ｔｏｏｌ）、電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）、電気自転車（Ｅ−ｂｉｋｅ）、電気スクーター（Ｅ−ｓｃｏｏｔｅｒ）、電気ゴルフカート（ｅｌｅｃｔｒｉｃ  ｇｏｌｆ  ｃａｒｔ）、又は電力貯蔵用システムであり得るが、これらのみに限定されないことは言うまでもない。
【図面の簡単な説明】
【００４１】
【図１】スタック型電極組立体を含んでいる代表的なパウチ型リチウム二次電池の一般的な構造の斜視図である。
【図２】一実施例による電極リードの斜視図である。
【図３】図２の部分拡大図である。
【図４】他の一実施例による電極リードの斜視図である。
【図５】図４の電極リードが電極組立体と結合された状態の側面図である。
【図６】図５の電極組立体が電池ケースに収納された状態の側面断面図である。
【発明を実施するための形態】
【００４２】
以下、添付図面に基づいて本発明が属する技術分野で通常の知識を有する者が本発明を容易に実施することができる実施例を詳細に説明する。ただ、本発明の好適な実施例についての動作原理を詳細に説明するにあたり、関連した公知の機能又は構成についての具体的な説明が本発明の要旨を不必要にあいまいにする可能性があると判断される場合にはその詳細な説明を省略する。
【００４３】
また、図面全般にわたって類似の機能及び作用をする部分に対しては同じ図面符号を付ける。明細書全般で、ある部分が他の部分と連結されていると言う場合、これは直接的に連結されている場合だけではなく、その中間に他の素子を挟んで間接的に連結されている場合も含む。また、ある構成要素を含むというのは、特に反対の記載がない限り、他の構成要素を除くものではなく、他の構成要素をさらに含むことができることを意味する。
【００４４】
本発明を図面を参照して詳細な実施例に基づいて説明する。
【００４５】
図２は一実施例による電極リードの斜視図を模式的に示す図、図３は図２の部分拡大図である。
【００４６】
図２及び図３を参照すると、電極リード１００は、第１面１０１、第１折曲部１０４、第２面１０２、第２折曲部１０５及び第３面１０３を含む電極リード本体１１０を含み、第１折曲部１０４を中心に電極リード本体１１０の一側端に第１面１０１が位置し、電極リード本体１１０の中心部には第２面１０２が位置し、第１面１０１と第２面１０２との間には第１折曲部１０４が位置する。電極リード本体１１０の他側端には第３面１０３が位置し、第３面１０３と第２面１０２との間には第２折曲部１０５が位置し、第２面１０２と第３面１０３は折曲角度が直角になる形態を有する。
【００４７】
第３面１０３には絶縁フィルム１３０が付加されている状態を示しているが、絶縁フィルム１３０が省略された状態の電極リード１００も本発明に含まれる。
【００４８】
図３に示した電極リードは図２の拡大図であり、完全に折り曲げられる前の状態（左側の電極リードの拡大図）と完全に折り曲げられた状態（右側の電極リード拡大図）をそれぞれ示している。第１折曲部１０４には折り曲げられる内側方向にノッチ１０６が形成されているので、第１面１０１と第２面１０２が電極タブの上面及び下面にそれぞれ位置するように折り曲げる過程を容易に遂行することができる。
【００４９】
図４は他の一実施例による電極リードの斜視図である。
【００５０】
図４を参照すると、電極リード２００は、電極リード本体２１０と電極リード本体２１０の一部の外周辺を取り囲んでいるプラスチック部材２２０を含んでなる。
【００５１】
図２の電極リード１００と対応する構造として、電極リード本体２１０は、第１面２０１、第２面２０２及び第３面２０３を含み、第３面２０３には絶縁フィルム２３０が付着されており、第３面２０３の一部と第１面２０１及び第２面２０２の外周辺を取り囲むようにプラスチック部材２２０が付加されている。
【００５２】
プラスチック部材２２０は第１面２０１〜第３面２０３の外周辺に発生し得るバリ（Ｂｕｒｒ）を取り囲む構造であり、電極リードによって電池ケースが損傷されることを防止することができる。
【００５３】
図５は図４の電極リードが電極組立体と結合された状態の側面図を模式的に示し、図６は図５の電極組立体が電池ケースに収納された状態を示す側面断面を模式的に示している。
【００５４】
図５及び図６を参照すると、電極組立体３３０は、陽極３３１及び陰極３３２が分離膜（図示せず）を介在した状態で積層された構造のスタック型電極組立体であり、陰極３３２の一側に突出した陰極タブ３３３は突出した端部で互いに結合して電極タブ束を形成している。図６に示したように、電極リードは、第１面３０１と第２面３０２との間に電極タブ３３３の束を位置させた状態で対面するように１８０度折り曲げられており、電極タブ３３３束の上面には電極リード本体の第１面３０１が位置し、下面には電極リード本体の第２面３０２が位置する。
【００５５】
電極リード本体の厚さｈ１はプラスチック部材の厚さｈ２より厚く示しているが、プラスチック部材の厚さと同じ厚さを有することができる。
【００５６】
電極リード本体の第１面３０１と対面するようにクリンチングパンチ３５１が位置し、電極タブ及び電極リード本体の第２面３０２と対面するようにダイ３５２が位置する状態で、クリンチングパンチ３５１を下方に加圧して電極タブと電極リードの結合を完成する。
【００５７】
電極組立体３３０は、電極タブの結合部が電極組立体３３０の積層方向を基準に電極組立体３３０の中心部に形成され、図６の電池ケースのように、上部ケース３４１及び下部ケース３４２の両方に電極組立体収納用凹部が形成された電池ケースに収納される。
【００５８】
電極組立体３３０の厚さ及び電池ケースに凹部が形成される位置を考慮し、電極タブ３３３は電極組立体３３０の積層方向を基準に電極組立体３３０の上部又は下部に形成されることができるのは言うまでもない。
【００５９】
電極タブ３３３は電極リードと結合された部分が電極組立体３３０の積層方向に平行となるように折り曲げられた状態で電池ケースに収納される。電極タブ３３３が折り曲げられていない状態で電池ケースに収納される場合には、電池ケースの内部に無駄な空間が増加するから好ましくない。
【００６０】
本発明が属する分野で通常の知識を有する者であれば前記内容に基づいて本発明の範疇内で多様な応用及び変形が可能であろう。
【産業上の利用可能性】
【００６１】
以上で説明したように、本発明による電極組立体は複数の電極タブが積層された構造を有し、前記電極タブの外面を取り囲む構造の電極リードが前記電極タブとクリンチングによって結合され、電極リードが電極タブの上面及び下面の両者を取り囲む構造を有するので、結合過程で電極タブが損傷されることを防止することができる。
【００６２】
また、前記のように電極タブの外面を電極リードが覆う構造であるので、電極タブの結合過程で電極タブの表面に形成されたバリ（Ｂｕｒｒ）によって電池ケースの内側面が損傷されることを防止することができる。
【符号の説明】
【００６３】
１０    パウチ型二次電池
２０    電池ケース
３０    電極組立体
４０、５０    電極タブ
６０、７０    電極リード
８０    絶縁フィルム
１００、２００    電極リード
１０１、２０１、３０１    第１面
１０２、２０２、３０２    第２面
１０３、２０３、３０３    第３面
１０４    第１折曲部
１０５    第２折曲部
１０６    ノッチ
１１０、２１０    電極リード本体
１３０、２３０    絶縁フィルム
２２０、３２０    プラスチック部材
３３０    電極組立体
３３１    陽極
３３２    陰極
３３３    陰極タブ
３４１    上部ケース
３４２    下部ケース
３５１    クリンチングパンチ
３５２    ダイ
ｈ１    電極リード本体の厚さ
ｈ２    プラスチック部材の厚さ
【図１】
2020518963.tif 000003
【図２】
2020518963.tif 000004
【図３】
2020518963.tif 000005
【図４】
2020518963.tif 000006
【図５】
2020518963.tif 000007
【図６】
2020518963.tif 000008
【国際調査報告】
2020518963.tif 000009
2020518963.tif 000010
2020518963.tif 000011
2020518963.tif 000012